(57)【特許請求の範囲】
【請求項１】
店舗端末、ユーザ端末、および寄付仲介者端末とネットワークを介して接続可能な情報処理装置であって、
前記店舗端末から指定された寄付対象商品または寄付対象役務に関する寄付対象データを蓄積する寄付対象データベースと、
前記寄付対象商品または前記寄付対象役務に対する、ユーザによる金銭の支払いに関する支払履歴データを前記寄付対象データに対応付けて蓄積する支払履歴データベースと、
前記支払履歴データベースに蓄積された前記支払履歴データに基づいて、前記寄付対象商品または前記寄付対象役務に対する対価の一部に相当する寄付金額を算出する算出手段と、
前記寄付仲介者端末に対して、前記寄付金額の算出に使用された前記支払履歴データを提供する提供手段と、
前記ユーザ端末から、前記寄付対象商品または寄付対象役務に対して寄付金を含む金銭を支払った旨の通知を受け取る支払通知受信手段と、
前記店舗端末から、前記寄付対象商品または寄付対象役務に関する売上額の通知を受け取る売上通知受信手段と、
前記売上通知受信手段が受信した売上額を蓄積する売上額データベースと、
一定期間に前記支払履歴データベースに蓄積された支払額の総額と、前記一定期間に前記売上額データベースに蓄積された売上額の総額とを比較する比較手段と、
を備え、
前記支払履歴データベースは、前記支払通知受信手段が受信した通知に基づいて、前記支払履歴データを更新し、
前記算出手段は、前記支払額の総額が前記売上額の総額よりも多い場合には、前記売上額の総額に基づいて前記寄付金額を算出し、前記支払額の総額が前記売上額の総額よりも少ない場合には、前記支払額の総額に基づいて前記寄付金額を算出することを特徴とする情報処理装置。
【請求項２】
前記店舗端末に対してパスワードを発行する発行手段をさらに有し、
前記支払通知受信手段は、前記ユーザ端末から、前記寄付対象商品または寄付対象役務に対して寄付金を含む金銭を支払った旨の通知と共に前記パスワードを受信し、
前記支払履歴データベースは、前記パスワードの受信を条件として、前記支払履歴データを更新することを特徴とする請求項１に記載の情報処理装置。
【請求項３】
前記発行手段は、前記店舗端末に対し一定期間ごとに新たなパスワードを発行することを特徴とする請求項２に記載の情報処理装置。
【請求項４】
前記寄付仲介者端末から、寄付金の用途情報を受信して、前記ユーザ端末が閲覧可能に登録する用途登録手段をさらに有することを特徴とする請求項１乃至３のいずれか１項に記載の情報処理装置。
【請求項５】
前記支払履歴データベースは、さらに、前記算出手段が算出した寄付金額を蓄積し、前記ユーザ端末からのアクセスに応じて、前記寄付金額を閲覧可能に提供することを特徴とする請求項１乃至４のいずれか１項に記載の情報処理装置。
【請求項６】
店舗端末、ユーザ端末、および寄付仲介者端末とネットワークを介して接続可能であり、
前記店舗端末から指定された寄付対象商品または寄付対象役務に関する寄付対象データを蓄積する寄付対象データベースと、
前記寄付対象商品または前記寄付対象役務に対する、ユーザによる金銭の支払いに関する支払履歴データを前記寄付対象データに対応付けて蓄積する支払履歴データベースと、
前記店舗端末から、前記寄付対象商品または寄付対象役務に関する売上額の通知を受け取る売上通知受信手段が受信した売上額を蓄積する売上額データベースと、
を有する情報処理装置の制御方法であって、
前記ユーザ端末から、前記寄付対象商品または寄付対象役務に対して寄付金を含む金銭を支払った旨の通知を受け取る支払通知受信手段が受信した通知に基づいて、前記支払履歴データを更新する更新ステップと、
一定期間に前記支払履歴データベースに蓄積された支払額の総額と、前記一定期間に前記売上額データベースに蓄積された売上額の総額とを比較する比較ステップと、
前記支払額の総額が前記売上額の総額よりも多い場合には、前記売上額の総額に基づいて前記寄付金額を算出し、前記支払額の総額が前記売上額の総額よりも少ない場合には、前記支払額の総額に基づいて前記寄付金額を算出する算出ステップと、
前記寄付仲介者端末に対して、前記寄付金額の算出に使用された前記支払履歴データを提供する提供ステップと、
を含むことを特徴とする制御方法。
【請求項７】
店舗端末、ユーザ端末、および寄付仲介者端末とネットワークを介して接続可能であり、
前記店舗端末から指定された寄付対象商品または寄付対象役務に関する寄付対象データを蓄積する寄付対象データベースと、
前記寄付対象商品または前記寄付対象役務に対する、ユーザによる金銭の支払いに関する支払履歴データを前記寄付対象データに対応付けて蓄積する支払履歴データベースと、
前記店舗端末から、前記寄付対象商品または寄付対象役務に関する売上額の通知を受け取る売上通知受信手段が受信した売上額を蓄積する売上額データベースと、
を有する情報処理装置の制御プログラムであって、
前記ユーザ端末から、前記寄付対象商品または寄付対象役務に対して寄付金を含む金銭を支払った旨の通知を受け取る支払通知受信手段が受信した通知に基づいて、前記支払履歴データを更新する更新ステップと、
一定期間に前記支払履歴データベースに蓄積された支払額の総額と、前記一定期間に前記売上額データベースに蓄積された売上額の総額とを比較する比較ステップと、
前記支払額の総額が前記売上額の総額よりも多い場合には、前記売上額の総額に基づいて前記寄付金額を算出し、前記支払額の総額が前記売上額の総額よりも少ない場合には、前記支払額の総額に基づいて前記寄付金額を算出する算出ステップと、
前記寄付仲介者端末に対して、前記寄付金額の算出に使用された前記支払履歴データを提供する提供ステップと、
をコンピュータに実行させることを特徴とする制御プログラム。
【発明の詳細な説明】
【技術分野】
【０００１】
本発明は、寄付の機会を提供する技術に関する。
【背景技術】
【０００２】
社会が成熟するにつれ、消費者の寄付に対する意識が変わり、寄付への関心が高まっている（マーケティング3.0）。
【０００３】
寄付を行なう仕組みとしては、特許文献１に示されているように、ネットワークを用いて多数の閲覧者から寄付を集る技術が知られている。
【先行技術文献】
【特許文献】
【０００４】
【特許文献１】特開2002-230239号公報
【発明の概要】
【発明が解決しようとする課題】
【０００５】
しかしながら、上記特許文献１に記載の技術は、寄付のみを目的としてネットワークを介して寄付の申込みを受け付けるものであって、寄付行為への心理的なハードルを下げることができなかった。
【０００６】
本発明の目的は、上述の課題を解決する技術を提供することにある。
【課題を解決するための手段】
【０００７】
上記目的を達成するため、本発明に係る装置は、
店舗端末、ユーザ端末、および寄付仲介者端末とネットワークを介して接続可能な情報処理装置であって、
前記店舗端末から指定された寄付対象商品または寄付対象役務に関する寄付対象データを蓄積する寄付対象データベースと、
前記寄付対象商品または前記寄付対象役務に対する、ユーザによる金銭の支払いに関する支払履歴データを前記寄付対象データに対応付けて蓄積する支払履歴データベースと、
前記支払履歴データベースに蓄積された前記支払履歴データに基づいて、前記寄付対象商品または前記寄付対象役務に対する対価の一部に相当する寄付金額を算出する算出手段と、
前記寄付仲介者端末に対して、前記寄付金額の算出に使用された前記支払履歴データを提供する提供手段と、
前記ユーザ端末から、前記寄付対象商品または寄付対象役務に対して寄付金を含む金銭を支払った旨の通知を受け取る支払通知受信手段と、
前記店舗端末から、前記寄付対象商品または寄付対象役務に関する売上額の通知を受け取る売上通知受信手段と、
前記売上通知受信手段が受信した売上額を蓄積する売上額データベースと、
一定期間に前記支払履歴データベースに蓄積された支払額の総額と、前記一定期間に前記売上額データベースに蓄積された売上額の総額とを比較する比較手段と、
を備え、
前記支払履歴データベースは、前記支払通知受信手段が受信した通知に基づいて、前記支払履歴データを更新し、
前記算出手段は、前記支払額の総額が前記売上額の総額よりも多い場合には、前記売上額の総額に基づいて前記寄付金額を算出し、前記支払額の総額が前記売上額の総額よりも少ない場合には、前記支払額の総額に基づいて前記寄付金額を算出することを特徴とする。
【０００８】
上記目的を達成するため、本発明に係る方法は、
店舗端末、ユーザ端末、および寄付仲介者端末とネットワークを介して接続可能であり、
前記店舗端末から指定された寄付対象商品または寄付対象役務に関する寄付対象データを蓄積する寄付対象データベースと、
前記寄付対象商品または前記寄付対象役務に対する、ユーザによる金銭の支払いに関する支払履歴データを前記寄付対象データに対応付けて蓄積する支払履歴データベースと、
前記店舗端末から、前記寄付対象商品または寄付対象役務に関する売上額の通知を受け取る売上通知受信手段が受信した売上額を蓄積する売上額データベースと、
を有する情報処理装置の制御方法であって、
前記ユーザ端末から、前記寄付対象商品または寄付対象役務に対して寄付金を含む金銭を支払った旨の通知を受け取る支払通知受信手段が受信した通知に基づいて、前記支払履歴データを更新する更新ステップと、
一定期間に前記支払履歴データベースに蓄積された支払額の総額と、前記一定期間に前記売上額データベースに蓄積された売上額の総額とを比較する比較ステップと、
前記支払額の総額が前記売上額の総額よりも多い場合には、前記売上額の総額に基づいて前記寄付金額を算出し、前記支払額の総額が前記売上額の総額よりも少ない場合には、前記支払額の総額に基づいて前記寄付金額を算出する算出ステップと、
前記寄付仲介者端末に対して、前記寄付金額の算出に使用された前記支払履歴データを提供する提供ステップと、
を含むことを特徴とする。
【０００９】
上記目的を達成するため、本発明に係るプログラムは、
店舗端末、ユーザ端末、および寄付仲介者端末とネットワークを介して接続可能であり、
前記店舗端末から指定された寄付対象商品または寄付対象役務に関する寄付対象データを蓄積する寄付対象データベースと、
前記寄付対象商品または前記寄付対象役務に対する、ユーザによる金銭の支払いに関する支払履歴データを前記寄付対象データに対応付けて蓄積する支払履歴データベースと、
前記店舗端末から、前記寄付対象商品または寄付対象役務に関する売上額の通知を受け取る売上通知受信手段が受信した売上額を蓄積する売上額データベースと、
を有する情報処理装置の制御プログラムであって、
前記ユーザ端末から、前記寄付対象商品または寄付対象役務に対して寄付金を含む金銭を支払った旨の通知を受け取る支払通知受信手段が受信した通知に基づいて、前記支払履歴データを更新する更新ステップと、
一定期間に前記支払履歴データベースに蓄積された支払額の総額と、前記一定期間に前記売上額データベースに蓄積された売上額の総額とを比較する比較ステップと、
前記支払額の総額が前記売上額の総額よりも多い場合には、前記売上額の総額に基づいて前記寄付金額を算出し、前記支払額の総額が前記売上額の総額よりも少ない場合には、前記支払額の総額に基づいて前記寄付金額を算出する算出ステップと、
前記寄付仲介者端末に対して、前記寄付金額の算出に使用された前記支払履歴データを提供する提供ステップと、
をコンピュータに実行させることを特徴とする。
【発明の効果】
【００１０】
本発明によれば、寄付をしたい者の寄付を行なう際の心理的ハードルを下げることができる。
【図面の簡単な説明】
【００１１】
【図１】本発明の第１実施形態に係る情報処理装置を含む情報処理システムの構成を示すブロック図である。
【図２】本発明の第２実施形態に係る情報処理装置を含む情報処理システムの手続の処理の流れを示す図である。
【図３】本発明の第２実施形態に係る情報処理装置を含む情報処理システムの手続の処理を示す図である。
【図４】本発明の第２実施形態に係る情報処理装置を含む情報処理システムの構成を示すブロック図である。
【図５】本発明の第２実施形態における手続の処理を示すシーケンス図である。
【図６Ａ】本発明の第２実施形態に係る情報処理装置の手続の流れを示すフローチャートである。
【図６Ｂ】本発明の第２実施形態に係る情報処理装置における処理の流れを示すフローチャートである。
【図７Ａ】本発明の第２実施形態における店舗端末における処理の流れを示すフローチャートである。
【図７Ｂ】本発明の第２実施形態における店舗端末における処理の流れを示すフローチャートである。
【図７Ｃ】本発明の第２実施形態における店舗端末における処理の流れを示すフローチャートである。
【図８】本発明の第２実施形態におけるユーザ端末における処理の流れを示すフローチャートである。
【図９】本発明の第２実施形態におけるＮＰＯ端末における処理の流れを示すフローチャートである。
【図１０】本発明の第２実施形態におけるユーザ端末の表示画面を示す図である。
【図１１Ａ】本発明の第２実施形態におけるユーザ端末の表示画面を示す図である。
【図１１Ｂ】本発明の第２実施形態におけるユーザ端末の表示画面を示す図である。
【図１２】本発明の第２実施形態におけるユーザ端末の表示画面を示す図である。
【図１３】本発明の第２実施形態におけるユーザ端末の表示画面を示す図である。
【図１４】本発明の第２実施形態における店舗端末の表示画面を示す図である。
【図１５】本発明の第２実施形態における店舗端末の表示画面を示す図である。
【図１６】本発明の第２実施形態における店舗端末の表示画面を示す図である。
【図１７】本発明の第２実施形態における店舗端末の表示画面を示す図である。
【図１８】本発明の第２実施形態における店舗端末の表示画面を示す図である。
【図１９】本発明の第２実施形態における店舗端末の表示画面を示す図である。
【発明を実施するための形態】
【００１２】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１３】
［第１実施形態］
本発明の第１実施形態としての情報処理装置１００について、図１を用いて説明する。情報処理装置１００は、店舗端末１１１、ユーザ端末１１２、および寄付仲介者端末１１３とネットワーク１４０とを介して接続可能である。
【００１４】
図１に示すように、情報処理装置１００は、寄付対象データベース１０１と、支払履歴データベース１０２と、算出部１０３と、提供部１０４とを含む。寄付対象データベース１０１は、店舗端末１１１から指定された寄付対象データを蓄積する。支払履歴データベース１０２は、ユーザによる支払履歴データを寄付対象データに対応付けて蓄積する。
【００１５】
算出部１０３は、支払履歴データベースに蓄積された支払履歴データに基づいて、寄付金額を算出する。提供部１０４は、寄付仲介者端末１１３に対して、寄付金額の算出に使用された支払履歴データを提供する。
【００１６】
以上の構成により、本実施形態によれば、寄付をしたい者の寄付を行なう際の心理的ハードルを下げることができる。
【００１７】
［第２実施形態］
次に本発明の第２実施形態に係る情報処理装置（以下、サーバという。）２０３について、図２を用いて説明する。図２は、本実施形態に係るサーバ２０３を含む情報処理システムを用いて寄付を行なう場合の一連の流れを説明するための図である。
【００１８】
まず始めに、本実施形態において寄付を受け付ける商品またはサービスとは、商品またはサービスを提供する者が、代金の一定額をＮＰＯ団体などの寄付仲介者に寄付することを明示した寄付対象商品またはサービスのことをいう。ここで、代金の一定金額とは、商品またはサービスの価格のうちの一定金額（例えば一律２０円）や、一定の割合（例えば価格の５％）や、寄付額の上限または下限を決めてユーザからの言い値の金額のようにしてもよいが、これらに限られるものではない。
【００１９】
ユーザ２０１は、ユーザ端末２０２を用いて専用のアプリケーションをダウンロードして会員登録を行なう（Ｓ２１１）。サーバ２０３はユーザ２０１から登録情報を受け付けてデータベース（不図示）にユーザ情報を登録する。店舗端末２０４はユーザ２０１に提供するサービスのうち、寄付を受け付ける商品またはサービスの情報をサーバ２０３に登録する（Ｓ２１２）。サーバ２０３は、登録したユーザ２０１に、寄付対象の商品またはサービスの情報を送信する（Ｓ２１３）。なお、本実施形態において、専用のアプリケーションとは、寄付対象商品または寄付対象役務（以下、寄付対象サービスという）の提供を行なう店舗等を検索できるアプリケーションである。また、寄付対象の商品またはサービスの情報については、ユーザが自ら検索してもよい。
【００２０】
サーバ２０３は、店舗端末２０４にデイリーパスワードを送信する（Ｓ２１４）。ユーザ２０１は店舗での会計時にデイリーパスワードを受け取ると（Ｓ２１５）、ユーザ端末２０２を用いてデイリーパスワードを入力してサーバに送信する（Ｓ２１６）。サーバ２０３は、デイリーパスワードの入力をユーザ端末２０２から受け付けて、寄付対象の商品またはサービスの売上金額を把握すると、店舗端末２０４から定期的に送られる寄付対象商品または寄付対象サービスの売上金額と対比する（Ｓ２１７）。
【００２１】
サーバ２０３は、ユーザ端末２０２から受け付けた寄付対象商品またはサービスに対する支払履歴と、店舗端末２０４から送信された寄付対象商品または寄付対象サービスの売上金額から算出した合計寄付額を、寄付を受け付けるＮＰＯ２０５に送信する（Ｓ２１８）。サーバ２０３は、店舗端末２０４にも寄付合計額を送信する。店舗は、受け付けた寄付合計額を本社に通知すると、本社は各店舗の寄付額を集計してＮＰＯ２０５に支払う（Ｓ２１９）。なお、寄付合計額のＮＰＯ２０５への支払いは、店舗毎に寄付額を集計してＮＰＯ２０５に支払う方法であっても良く、また、これに限られるものではない。ＮＰＯ２０５は店舗から寄付を受け付けると、寄付先２０６に寄付を行なう（Ｓ２２１）。ＮＰＯの端末２０５は、支援実績をサーバ２０３に送信する（Ｓ２２３）。サーバ２０３は、寄付金を使用した支援実績として支援実績のレポートを店舗端末２０４に送信し（Ｓ２２５）、ユーザ端末２０２にも送信する（Ｓ２２６）。
【００２２】
本実施形態におけるユーザ端末２０２、サーバ２０３、店舗端末２０４およびＮＰＯ端末２０５の処理の流れを、図３を用いて説明する。図３は、本実施形態に係るサーバ２０３を含む情報処理システムの手続の処理を示す図である。
【００２３】
まず、ステップＳ３０１において、ユーザ２０１はユーザ端末２０２を用いてサーバ２０３にアクセスして会員登録する。ステップＳ３０３において、商品またはサービスの提供の対価として支払った料金の一部を寄付する商品またはサービスの提示をサーバ２０３は店舗端末２０４から受け付けて、店舗情報および商品またはサービス情報をデータベースに登録する。ステップＳ３０５において、データベースに格納された商品またはサービス情報をユーザ端末２０２に表示する。ステップＳ３０７において、ユーザ２０１により選択された商品またはサービス情報をユーザ端末２０２にダウンロードする。
【００２４】
ステップＳ３０９において、サーバ２０３は商品またはサービスの提供を受けるユーザに対して提示するデイリーパスワードを店舗端末２０４に発行する。ステップＳ３１１において、デイリーパスワードを提示されたユーザ２０１によりユーザ端末２０２にデイリーパスワードが入力される。ステップＳ３１３において、ユーザ端末２０２は、入力されたデイリーパスワードをサーバ２０３に送信する。サーバ２０３は、送信されたデイリーパスワードを確認し、商品またはサービスの売上情報をデータベースに蓄積する。ステップＳ３１５において、サーバ２０３はユーザごとに記憶した商品またはサービスの購入実績に基づく寄付実績をユーザ端末２０２に送信する。ステップＳ３１７において、サーバ２０３は、商品またはサービスの提供に基づくデイリーパスワードの入力数、および商品またはサービスの売上実績を店舗端末２０４に送信する。ステップＳ３１９において、店舗端末２０４は、サーバ２０３から送信された、商品またはサービスの提供に伴い入力されたデイリーパスワードの履歴（支払履歴）と、商品またはサービスの売上情報とから算出された寄付額をＮＰＯに支払う。ステップＳ３２１において、ＮＰＯは支払われた寄付金を使用する。ステップＳ３２３において、ＮＰＯ端末２０５は、寄付金の支援実績をサーバ２０３に送信する。ステップＳ３２５において、サーバ２０３は、ユーザ端末２０２に寄付金の支援実績を送信し、ステップＳ３２７において、店舗端末２０４にも寄付金の支援実績を送信する。
【００２５】
（各構成の機能）
次に、図４は、本実施形態に係るサーバ２０３を含む情報処理システムの構成を示すブロック図である。サーバ２０３は、寄付対象データベース４０１と、支払履歴データベース４０２と、算出部４０３と、提供部４０４と、支払通知受信部４０５とを備える。サーバ２０３は、さらに、発行部４０６と、売上通知受信部４０７と、売上額データベース４０８と、比較部４０９と、用途登録部４１０とを備える。サーバ２０３は、ネットワーク４４０を介して、店舗端末２０４と、ユーザ端末２０２と、ＮＰＯ端末２０５と通信可能に接続されている。
【００２６】
寄付対象データベース４０１は、店舗端末２０４から指定された寄付対象商品または寄付対象サービスに関する寄付対象データを蓄積する。この寄付対象データは、本実施形態においては、寄付対象商品または寄付対象サービスの価格や、画像または動画の他に、寄付額、寄付対象期間、寄付金を支払う寄付仲介者であるＮＰＯ（ＮＰＯ：Nonprofit Organization、Not-for-Profit Organization）の名称や寄付国、商品またはサービスを提供する店舗情報を含む。さらに、寄付対象データには、寄付対象が飲食物である場合にはカロリー、寄付対象が商品である場合には生産地情報などを含むが、これらに限られるものではない。
【００２７】
支払履歴データベース４０２は、寄付対象商品または寄付対象サービスの提供を受けたユーザ２０１による金銭の支払いに関する支払履歴データを蓄積する。この支払履歴データは、本実施形態においては、ユーザごとに、提供を受けた商品またはサービスの名称と、金銭の支払いを行なう際に取得したデイリーパスワードの入力情報とを含むが、これらに限られるものではない。また、支払履歴データベース４０２は、算出部４０３が算出した寄付額を蓄積し、ユーザ端末２０２からのアクセスに応じて、寄付額を閲覧可能に提供する。
【００２８】
算出部４０３は、支払履歴データベース４０２に登録されたユーザ２０１による支払履歴データに基づいて、店舗がＮＰＯに対して支払うべき寄付額を算出する。提供部４０４は、ＮＰＯ端末２０５に対して、寄付額の算出に使用された支払履歴データを提供する。提供部４０４は、支払履歴データを、支払履歴データベース４０２から取得する。
【００２９】
支払通知受信部４０５は、ユーザ端末２０２から、寄付対象商品または寄付対象サービスに対して寄付金を含む金銭を支払った旨の通知を、ネットワーク４４０を介して受け取る。この通知は、本実施形態において、デイリーパスワード（図２のＳ２１４、Ｓ２１６、図３参照）の入力をユーザ端末２０２から行なうことにより行なっているが、これに限られるものではない。
【００３０】
発行部４０６は、店舗端末２０４に対してパスワードを発行する。本実施形態においては、このパスワードはデイリーパスワードとして日ごとに発行し、店舗端末２０４に送信する。パスワードの発行は、日ごとに限られるものではなく、あらかじめ定めた期間に応じて定期的に発行するものとする。また、発行先を店舗端末２０４に限るものではなく、各店舗を統括する地域ごとの本部の端末や、地域を統括する統括本部の端末なども含まれる。
【００３１】
売上通知受信部４０７は、店舗端末２０４から受け取った寄付対象商品または寄付対象サービスに関する売上額の通知を受け取る。売上額は、あらかじめ定めた一定期間ごとにおける店舗の売上額である。売上額データベース４０８は、売上通知受信部４０７が店舗端末２０４から受け取った売上額データを蓄積する。
【００３２】
比較部４０９は、一定期間に支払履歴データベース４０２に蓄積された支払額の総額と、一定期間に売上額データベース４０８に蓄積された売上額の総額とを比較する。比較部４０９は、一定期間の支払額の総額を支払履歴データベース４０２から取得し、売上額の総額を売上額データベース４０８からそれぞれ取得して、両者を比較する。
【００３３】
用途登録部４１０は、ＮＰＯ端末２０５から寄付金の用途情報（支援実績）を受信して、ユーザ端末２０２により閲覧可能に登録する。また、用途登録部４１０は、寄付金の用途情報（支援実績）を店舗端末２０４により閲覧可能に登録することも可能である。
【００３４】
（寄付金額の算出）
ここで、算出部４０３による寄付額の算出方法について説明する。算出部４０３は、支払通知受信部４０５がユーザ端末２０２から寄付対象商品または寄付対象サービスに対して寄付金を含む金銭を支払った旨の通知を受け取ると、この通知に基づいて更新される支払履歴データに基づいて寄付額を算出する。また、算出部４０３は、売上通知受信部４０７が、店舗端末２０４から受け取った寄付対象商品または寄付対象サービスに関する売上額を蓄積した売上額データベース４０８から取得した売上額データに基づいて寄付額を算出する。
【００３５】
寄付額の算出は、具体的には、［１］支払履歴データベース４０２に蓄積された支払履歴データの支払額の総額に基づいて寄付額を算出する。［２］支払履歴データベース４０２に蓄積された支払履歴データの支払額の総額と、寄付対象または寄付対象サービスの売上額の総額とを比較する。その上で、支払額の総額が売上額の総額より多い場合には、売上額の総額に基づいて寄付額を算出し、支払額の総額が売上額の総額より少ない場合には、支払額の総額に基づいて寄付額を算出する。［３］支払履歴データベース４０２に蓄積された支払履歴データの支払額の総額に基づいて寄付額を算出する。
【００３６】
（シーケンス図）
図５は、ユーザ端末２０２、サーバ２０３、店舗端末２０４、およびＮＰＯ端末２０５を含む情報処理システムの手続の処理を示すシーケンス図である。
【００３７】
まず始めに、サーバ２０３に、店舗端末２０４とＮＰＯ端末２０５とユーザ端末２０２とが登録するまでについて説明する。ステップＳ５０１において、サーバ２０３は、店舗端末２０４にＩＤ（identification）を付与する。ステップＳ５０３において、サーバ２０３は、ＮＰＯ端末２０５にＩＤを付与する。ステップＳ５０５において、サーバ２０３は、店舗端末２０４からのログインを受け付ける。ステップＳ５０７において、サーバは、ＮＰＯ端末２０５からのログインを受け付ける。ステップＳ５０９において、ユーザ端末２０２は、専用アプリケーションをダウンロードする。ステップＳ５１１において、ユーザ端末２０２からサーバにユーザ登録を行なう。ユーザ登録の登録内容としては、ユーザ名やユーザの属性等を入力する。なお、本実施形態において、属性とは、年代と、性別と、居住・通学・勤務エリアのことであるが、これらに限るものではない。ステップＳ５１３において、サーバ２０３は、店舗端末２０４から送信された店舗情報と、ＮＰＯ端末２０５から送信されたＮＰＯ情報と、ユーザ端末２０２から送信されたユーザ情報とを登録する。ステップＳ５１５において、店舗端末２０４は、寄付対象商品または寄付対象サービスと、それらの画像または動画と、寄付対象額とをサーバ２０３に送信する。ステップＳ５１７において、サーバ２０３は、店舗端末２０４から受信した寄付対象商品または寄付対象サービスなどの寄付情報を寄付対象データベース４０１に登録する。
【００３８】
次に、ユーザ２０１が店舗において寄付対象商品または寄付対象サービスの提供を受ける前に行なうことについて説明する。ステップＳ５１９において、ユーザ端末２０２はお得な飲食店情報などのエリア情報を検索する。ステップＳ５２１において、サーバ２０３は、ユーザ端末２０２からの要求に応じてユーザ２０１の検索条件に適合した寄付対象商品または寄付対象サービスの情報を送信する。なお、本実施形態においては、検索条件として、鉄道の路線名または駅名や、都道府県名や市区町村名や町名などを挙げるが、これらに限られるものではない。一方、ステップＳ５２３において、サーバ２０３は、登録した店舗端末２０４に対してデイリーパスワードを送信する。
【００３９】
さらに、寄付対象商品または寄付対象サービスの提供を受ける場面について説明する。ステップＳ５２５において、ユーザ端末２０２は、寄付情報をサーバ２０３からダウンロードする。ステップＳ５２７において、ユーザ端末２０２は表示部にダウンロードした寄付情報を表示する。ステップＳ５２９において、ユーザ２０１は、店舗にて寄付対象サービスの提供を受けると、料金の支払い時にユーザ端末２０２に表示した寄付情報を店舗の従業員に提示する。ステップＳ５３１において、店舗従業員は提示された寄付情報をチェックする。ステップＳ５３３において、店舗従業員は寄付情報をチェックしてユーザ２０１が提供を受けた寄付対象サービスと店舗が登録した寄付対象サービスとが一致することを確認すると、ユーザ２０１にデイリーパスワードを教える。なお、ここで本実施形態においては寄付情報の提示を受けたことを条件として、割引サービスを提供しても良い。このようにすれば、より一層ユーザの寄付に対する心理的ハードルを下げる事ができる。ステップＳ５３５において、ユーザ端末２０２からデイリーパスワードを入力する。ステップＳ５３７において、ユーザ端末２０２は、入力したデイリーパスワードをサーバ２０３に送信する。
【００４０】
ステップＳ５３９において、サーバ２０３は、ユーザ２０１による寄付対象サービスの購入履歴を支払履歴データベース４０２に蓄積する。ステップＳ５４１において、サーバ２０３の売上通知受信部４０７は、店舗端末２０４に一定期間の寄付対象商品または寄付対象サービスが利用された支援実績と、この支援実績に基づく寄付金額とを送信する。また、ステップＳ５４３において、サーバ２０３は、ユーザ端末２０２にユーザによる寄付対象サービスを利用した実績を送信する。ステップＳ５４５において、サーバ２０３は、売上額データベース４０８に蓄積した一定期間における寄付対象商品または寄付対象サービスの売上額を計算する。ステップＳ５４７において、サーバ２０３の提供部４０４は、寄付対象商品または寄付対象サービスの売上額をネットワーク４４０を介してＮＰＯ端末２０５に送信する。ステップＳ５４９において、ＮＰＯは寄付対象商品または寄付対象サービスの売上額に基づいて寄付額の内訳を確認する。この寄付額の内訳の確認は、サーバ２０３から送信された寄付対象商品または寄付対象サービスの売上額と、店舗から寄付された寄付額とに基づいて行なう。
【００４１】
ステップＳ５５１において、ＮＰＯは寄付金を利用して必要な援助を寄付先に行なうと、ステップＳ５５３において、ＮＰＯ端末２０５は、作成した寄付金の利用レポートとして支援実績をサーバ２０３に送信する。ステップＳ５５５において、サーバ２０３は、受信した支援実績をデータベースに蓄積する。ステップＳ５５７において、サーバ２０３は、支援実績をユーザ端末２０２に送信する。また、ステップＳ５５９において、サーバ２０３は、支援実績を店舗端末２０４に送信する。ステップＳ５６１において、ユーザ端末２０２は、寄付額や寄付回数などの寄付実績や、ＮＰＯによる寄付金の利用レポートを表示部に表示する。ステップＳ５６３において、店舗端末２０４は、寄付額や寄付先や、寄付先における支援実績を店舗に設置した表示部などに表示する。
【００４２】
（サーバにおける処理の流れ）
図６Ａおよび６Ｂは、サーバ２０３における処理の流れを示すフローチャートである。まず図６Ａについて説明する。サーバ２０３は、ステップＳ６０１において、ユーザ端末２０２からのアプリケーションのダウンロードの要求を受信すると、要求に応じてアプリケーションを送信する。ステップＳ６０３において、ユーザ端末２０２からの会員登録を受け付けて、ユーザ情報をデータベースに登録する。次に図６Ｂについて説明する。ステップＳ６１１において、サーバ２０３は、ユーザ端末２０２からログイン情報を受け付け、検索条件に適合する寄付対象商品または寄付対象サービスを提供する店舗情報を送信する。ステップＳ６１３において、サーバ２０３は、ユーザ端末２０２から特定の寄付対象商品または寄付対象サービスの情報の取得を受け付けると、寄付対象商品または寄付対象サービスの情報を送信する。ステップＳ６１５において、サーバ２０３は、ユーザ端末２０２からデイリーパスワードの入力を受け付ける。ステップＳ６１７において、サーバ２０３は、ユーザごとに寄付実績を蓄積する。
【００４３】
（店舗端末における処理の流れ）
図７Ａ乃至７Ｃは、店舗端末２０４における処理を示すフローチャートである。図７ＡのステップＳ７０１において、店舗端末２０４はＩＤを入力する。ステップＳ７０３において、店舗端末２０４はサーバ２０３にログインする。ステップＳ７０５において、店舗端末２０４は、寄付対象とする商品またはサービスと、それらの画像または動画と、価格と、寄付対象額とを登録する。次に、図７Ｂについて説明する。ステップＳ７１１において、店舗端末は、日付が変わったか否か判断し、日付が変わっている場合にはステップＳ７１３に進む。ステップＳ７１３において、店舗端末２０４は、サーバ２０３からデイリーパスワードを取得する。ステップＳ７１５において、店舗において、ユーザからの要求に応じてパスワードを開示する。図７Ｃについて説明する。ステップＳ７２１において、店舗端末２０４は、サーバ２０３から定期的に寄付対象商品または寄付対象サービスの利用実績を取得する。ステップＳ７２３において、店舗端末２０４は、寄付対象商品または寄付対象サービスの売上額をサーバ２０３に送信する。
【００４４】
（ユーザ端末における処理の流れ）
図８は、ユーザ端末２０２における処理を示すフローチャートである。図８のステップＳ８０３において、ユーザ端末２０２は、寄付対象商品または寄付対象サービスに関する情報を取得する。ステップＳ８０５において、ユーザ端末２０２は、デイリーパスワードを入力する。ステップＳ８０７において、ユーザ端末２０２は、サーバから寄付実績を取得する。ステップＳ８０９において、ユーザ端末２０２は、寄付対象商品または寄付対象サービスの利用実績と、寄付金総額と、ＮＰＯによる支援実績と、支援の現状を示す画像または動画とをサーバ２０３から取得する。
【００４５】
（ＮＰＯ端末における処理の流れ）
図９はＮＰＯ端末（寄付仲介者端末）２０５における処理の流れを示すフローチャートである。ステップＳ９０１において、ＮＰＯ端末２０５はＩＤを入力する。ステップＳ９０３において、ＮＰＯ端末２０５は、サーバ２０３にログインする。ステップＳ９０５において、店舗毎または寄付対象商品または寄付対象サービス毎の売上額の総額を確認する。ステップＳ９０７において、ＮＰＯ端末２０５は、寄付額の承認を行なう。ステップＳ９０９において、ＮＰＯ端末２０５は、支援実績を報告するために作成したレポート、画像、動画などをサーバ２０３に登録する。
【００４６】
（ユーザ端末の表示画面）
図１０〜図１３は、ユーザ端末２０２の表示画面を示す図である。図１０は、ユーザ２０１が寄付対象商品または寄付対象サービスの提供を受けた履歴を示す表示画面である。
【００４７】
ユーザ端末の表示画面１０００は、マイページ１００１と、ロゴ１００２と、会員登録ボタン１０１８と、支援実績ボタン１０１９とを画面の上下に有する。マイページ１００１は、現在表示している画面がアプリケーションに登録したユーザの専用ページであり、寄付の支援実績１００３や、寄付金総額１００８や、寄付対象商品などの利用履歴（利用実績）１０１０などを閲覧することができる構成である。
【００４８】
ロゴ１００２は、寄付対象商品または寄付対象サービスの提供を行なう店舗等を検索できるダウンロード可能なアプリケーションを示すロゴである。ユーザＩＤ１００４は、ユーザのＩＤを表示する。アイコン１００５は、現在のユーザの状態を示す。例えば、ユーザが会員登録する際に設定したユーザの写真など、ユーザを表示するものである。ランク１００６は、ユーザの現在の寄付実績に応じたランクを表示する。このランクは、例えば、他のユーザの寄付額の多少で決まる相対的なランクでも良く、また、アプリケーションにおいてあらかじめ定められた一定の条件を超えることで決まる絶対的なランクでもよい。次のランク１００７は、現在のランク１００６から次のランクに到達するまでに必要な寄付金額、寄付対象商品または寄付対象サービスの提供を受ける回数などを示す。募金総額１００８は、ユーザのこれまでの寄付金額の総額である。提供食数１００９は、ユーザがこれまで提供を受けた飲食物の総数である。
【００４９】
利用履歴１０１０は、直近１０件までの利用履歴を表示する。具体的には、１０１１に示すように、「店舗」と、店舗で提供を受けた「メニュー」と、提供を受けたメニューの「カロリー」と、メニューの「価格」である。店舗検索１０１２は、ユーザが提供を希望する商品またはサービスの提供を受けるために店舗を検索する際に用いられる。周辺検索１０１３は、ユーザの現在地の情報をＧＰＳ（Global Positioning System)から取得した情報に基づいて導き出し、その周辺にある寄付を行なえる飲食店などの寄付情報を検索する。この寄付情報は、サーバ２０３の寄付対象データベース４０１蓄積されている、寄付対象商品または寄付対象サービスに関する情報である。フリーワード１０１４は、テキスト入力欄１０１５に寄付情報を検索するための検索ワードとして、店舗名称、住所の一部などを自由に入力可能であることを示す。検索ワードの入力が済むと、検索１０１６を押下して検索を開始する。駅指定１０１７は、検索したい寄付情報を駅名から検索するためのものである（図１１Ａ、図１１Ｂ参照）。
【００５０】
次に、図１１Ａおよび１１Ｂは、駅を指定して寄付情報を検索するための表示画面である。図１１Ａは、都道府県ごとに駅名を検索するためのユーザ端末の検索表示画面である。指定駅検索（都道府県）１１０１は、図１１Ａに表示されている画面において、都道府県毎の駅名から寄付情報を検索するための用いられるものである。関東１１０２、関西１１０４は、検索する駅名を関東、関西、北陸、東北、四国のように地方に大別して検索する際に用いられる。画面上の表示を上下にスクロールすることにより、北陸、東北なども表示でき、選択することが可能である。次に、都道府県名を表示する１１０３および１１０４は、駅名を都道府県から検索する際に用いられる。都道府県名も、地方表示と同様に画面表示を上下にスクロールすることにより表示でき、選択可能である。戻るボタン１１０６は、現在表示している画面の前の画面に戻る際に用いる。本実施形態では図１１のマイページに戻る設定であるが、これに限られるものではない。
【００５１】
図１１Ｂは、東京都内を運行する各路線から寄付情報を検索するためのユーザ端末の検索表示画面である。東京１１１１には、東京都内を運行する路線を表示する。路線名１１１２には、浅草線、五日市線など、五十音順に東京都内を運行する各路線を表示する。また、この路線名１１１２は、ユーザが登録した路線順に表示しても良く、さらに、ユーザの利用頻度が高い路線を上位に表示しても良い。画面を上下にスクロールすることにより、東京都内を運行するすべての路線を閲覧し、選択することが可能である。戻るボタン１１０６を押下すると、本実施形態ではマイページ（図１１）に戻る設定であるが、図１１Ａの各都道府県を選択する画面に戻る設定でもよい。なお、路線名を選択すると、路線内のすべての駅名を表示する画面に移行するが、本実施形態では省略する。
【００５２】
図１２は、地名を指定して寄付情報を検索するための表示画面である。地域検索（市区一覧）１２０１は、都道府県ごとに地名を検索するためのユーザ端末の検索表示画面である。東京１２０２には、東京都内の区名および市町村名を表示する。区名および市町村名１２０３には、足立、荒川など、五十音順に２３区名を表示し、画面を下にスクロールすることにより、市町村名を閲覧可能である。戻るボタン１１０６を押下すると、本実施形態では都道府県名を表示する画面（不図示）に戻る設定であるが、マイページに戻る設定でも良く、設定はこれらに限られない。
【００５３】
図１３は、寄付仲介者であるＮＰＯにより寄付先で行なわれた支援実績を表示する画面表示である。この画面表示は、図２のステップＳ２２６、または図３のステップＳ３２７でユーザ端末２０２に送信される支援実績である。
【００５４】
支援実績１３０１は、表示画面が支援実績を表示していることを示す。画面１３０２は、支援実績の内容として説明欄１３０３と写真欄１３０４とを有する。説明欄１３０３は、「……。今回は…○○国の××地域に小学校を建てました。……」のようにＮＰＯが集めた寄付金で実際に行なった支援活動を報告する。そして、写真欄１３０４は、建設した小学校の写真を掲載する。またビデオボタン１３０５を押下すると、小学校建設に関する動画を視聴することが可能である。なお、本実施形態のおいては、ビデオボタン１３０５を押下するとインターネットの動画共有サイトであるYouTube（登録商標）を起動して、動画を視聴することが可能であるが、動画の視聴方法はこれに限られるものではない。
【００５５】
（会員登録画面）
図１４は、ユーザの会員登録画面を示す図である。会員登録１４０１は、本画面のタイトルを示す。詳細情報１４０２は、ログインＩＤと、パスワードと、facebook（登録商標）から属性情報を取得するボタンと、メールアドレスと、性別と、年代と、居住または勤務地域とを含む。また、連携ボタン１４０３は、facebook（登録商標）またはTwitter（登録商標）との連携を選択可能である。登録または更新ボタン１４０４は、会員情報の詳細情報１４０２を更新する場合に押下する。本実施形態においては、facebook（登録商標）またはTwitter（登録商標）との連携を可能とするが、本発明はこれらのソーシャルネットワーキングサービス（ＳＮＳ：Social Networking Service）に限ることなく、他のＳＮＳとの連携を行なうことが可能である。そして、ＳＮＳとの連携を行なうことにより、ユーザは自身の寄付行為を友人、知人等の他のユーザと共有することが可能となり、寄付行為を能動的に行なうことに繋がる。
【００５６】
（店舗端末の表示画面）
図１５は、店舗端末２０４を用いてアプリケーションにログインするための表示画面を示す図である。表示画面１５００は、店舗ユーザログイン１５０１と、ロゴ１５０２と、店舗ＩＤ１５０３と、パスワード１５０４と、ログインボタン１５０５と、メッセージ表示領域１５０６とを備える。店舗ユーザログイン１５０１は、現在表示されている画面がユーザログイン画面であることを示す。店舗ＩＤ１５０３は、店舗のＩＤを入力する欄であり、パスワード１５０４は、パスワードを入力する欄である。ログインボタン１５０５は、店舗ＩＤおよびパスワード入力後に押下する。メッセージ表示領域１５０６は、ログインに失敗した場合などにその旨のメッセージを表示する。
【００５７】
図１６は、店舗端末２０４のログイン後のホーム画面を示す図である。店舗ユーザメニュー１６０１は、登録済みの店舗端末２０４に表示される画面を示す。店舗情報編集１６０２は、店舗内容を登録、変更、修正等する際に用いる。デイリーパスワード１６０３は、サーバ２０３から定期的に送信されるパスワードを確認する際に用いる（図３のＳ３０９、図５のＳ５２３参照）。デイリーパスワード１６０３は、寄付対象商品または寄付対象サービスの提供を受けるユーザに通知する（図３のＳ３１１、図５のＳ５３３参照）。寄付対象商品または寄付対象サービスの利用実績１６０４は、ユーザによる寄付対象商品または寄付対象サービスの提供を受けた実績を示すものである。利用実績はサーバ２０３の支払履歴データベース４０２に逐次蓄積されるので、店舗端末２０４から最新の利用状況を確認することが可能である。コメント１６０５は、ユーザ端末２０２において入力された店舗に対するコメントを表示する欄である。ログアウト１６０６は、押下するとログアウトする。
【００５８】
図１７は、店舗情報を登録するための表示画面を示す図である。店舗情報登録・編集１７０１は、本画面のタイトルを示し、店舗情報の登録または編集を行なう画面であることを示す。店舗ＩＤ１７０２は、サーバ２０３から店舗ごとに付与されたＩＤを入力する欄である。パスワード１７０３は、登録時に設定したパスワードを入力する欄である。寄付情報１７０４は、店舗画像、メニュー画像、メニュー名称、カロリー、価格、店舗住所、店舗座標、営業時間、自由欄を有する。店舗情報には、店舗外観や内装などの画像を登録する。メニュー画像には、寄付対象商品または寄付対象サービスの画像を登録する。カロリーには、寄付対象商品または寄付対象サービスのカロリーを入力する。価格には、寄付対象商品または寄付対象サービスの価格を入力する。店舗住所には店舗の住所を入力する。店舗座標には、住所地の座標（緯度、経度）を入力する。営業時間には、店舗の営業時間を入力する。自由欄には、店舗からユーザへのメッセージを入力する。本実施形態においては、店舗の休業日を入力している。
【００５９】
アクセス情報１７０５は、都道府県名、路線名、最寄り駅名、最寄り駅から徒歩による所要時間を表示する。有効期限１７０６は、登録した寄付対象商品または寄付対象サービスの寄付対象としての期限を示す。本実施形態においては、2011年10月31日が海鮮サラダの寄付対象期限であることを示す。設定ボタン１７０７を押下すると入力された情報が登録され、または編集内容が登録される。キャンセルボタン１７０８を押下すると、入力した情報はすべて抹消されて、情報は登録されない。
【００６０】
図１８は、デイリーパスワードの入力画面を示す図である。デイリーパスワード１８０１は、本画面のタイトルを示す。デイリーパスワードの表示欄１８０２は、サーバ２０３から送信されたデイリーパスワード（４桁）を表示する。本実施形態においてはデイリーパスワードを４桁に設定しているが、これに限られるものではない。寄付対象商品または寄付対象サービスの画像１８０３は、対象商品またはサービスの画像を表示して、デイリーパスワードの対象商品または対象サービスを明示することで、他の商品またはサービスとの混同を防止するものである。寄付対象詳細情報１８０４は、寄付対象商品または寄付対象サービスのメニュー名とカロリーと価格と寄付対象の期限とを示す。本実施形態においては、メニュー名：海鮮サラダ、カロリー：１５０kcal、価格６８０円、有効期限2011/10/31であることを示す。戻るボタン１８０５を押下して、ホーム画面（図１６）に戻ってもよい。
【００６１】
図１９は、寄付対象商品または寄付対象サービスの提供を受けたユーザに関するデータを示す図である。このデータは、サーバ２０３の支払履歴データベース４０２に蓄積された支払履歴データに基づいてサーバ２０３のデータ生成部（不図示）において生成されるものである。寄付対象商品または寄付対象サービスの利用実績１９０１は、本画面のタイトルを示し、ユーザによる利用実績を表示する画面であることを示す。日別/月別１９０２は、グラフ１９０３を日別表示または月別表示することを選択するボタンである。なお、日別表示は、当日を含む過去３０日分の情報を表示する。また、月別表示は、当月を含む過去１２ヶ月分の情報を表示する。なお、本実施形態においては、日別表示は過去３０日分とし、月別表示は過去１２ヶ月分としているが、本発明における日別表示または月別表示はこれらに限られるものではない。グラフ１９０３は、１０代〜６０代までの年代ごとに、寄付対象商品または寄付対象サービスの提供を受けた世代の分布を棒グラフで表示する。本実施形態における棒グラフは、３０代の利用実績が突出していることを示し、次いで２０代の利用実績、４０代の利用実績を表示する。戻るボタン１９０４を押下すると、店舗ユーザメニュー（図１６参照）に戻ってもよい。
【００６２】
以上の構成および動作において、本実施形態における情報処理装置によれば、寄付をしたい者の利便性を高めて能動的に寄付を行なう際の心理的ハードルを下げることができる。また、ユーザから寄付を受け付けた店舗からの寄付金額の透明性を担保できると共に、店舗にとっては集客効果も期待できる。さらに、ユーザは日常の消費行動の一部として寄付を行なう可能である。なお、本実施形態では、寄付情報の提示を受けたことを条件として寄付を受け付ける構成であるが、寄付情報の提示を受けたことを条件として寄付を受け付けると共に、ユーザに割引サービスを提供しても良い。このようにすれば、より一層ユーザの寄付に対する心理的ハードルを下げる事ができる。
【００６３】
［他の実施形態］
以上、実施形態を参照して本願発明を説明したが、本願発明は上記実施形態に限定されものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００６４】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【図１】
0005915114.tif 000002
【図２】
0005915114.tif 000003
【図３】
0005915114.tif 000004
【図４】
0005915114.tif 000005
【図５】
0005915114.tif 000006
【図６Ａ】
0005915114.tif 000007
【図６Ｂ】
0005915114.tif 000008
【図７Ａ】
0005915114.tif 000009
【図７Ｂ】
0005915114.tif 000010
【図７Ｃ】
0005915114.tif 000011
【図８】
0005915114.tif 000012
【図９】
0005915114.tif 000013
【図１０】
0005915114.tif 000014
【図１１Ａ】
0005915114.tif 000015
【図１１Ｂ】
0005915114.tif 000016
【図１２】
0005915114.tif 000017
【図１３】
0005915114.tif 000018
【図１４】
0005915114.tif 000019
【図１５】
0005915114.tif 000020
【図１６】
0005915114.tif 000021
【図１７】
0005915114.tif 000022
【図１８】
0005915114.tif 000023
【図１９】
0005915114.tif 000024